【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
被写体を撮像してＲＡＷ画像を生成する撮像手段と、
前記ＲＡＷ画像を量子化パラメータを用いて量子化する量子化手段と、
前記量子化されたＲＡＷ画像を符号化して符号化データを生成する符号化手段と、
前記符号化データを記録媒体に記録する記録手段と、
複数のＲＡＷ画像を連続的に生成して記録する場合に、同一のＲＡＷ画像内で量子化パラメータを変更して量子化を行うように制御する制御手段と、
を有することを特徴とする撮像装置。
【請求項２】
前記制御手段は、符号化対象のＲＡＷ画像を複数の領域に分割し、領域毎に量子化パラメータを設定して量子化を行うように制御することを特徴とする請求項１に記載の撮像装置。
【請求項３】
前記制御手段は、前記符号化対象のＲＡＷ画像の各領域についての、目標符号量と発生符号量との差分に基づいて量子化パラメータを設定することを特徴とする請求項２に記載の撮像装置。
【請求項４】
前記制御手段は、前記複数の領域のうちの先頭の領域に設定された第１の量子化パラメータを前記差分に基づき補正して、量子化パラメータを設定することを特徴とする請求項３に記載の撮像装置。
【請求項５】
前記制御手段は、前記複数の領域のうち符号化対象の領域の量子化パラメータについて、前記複数の領域のうち該符号化対象の領域よりも前に符号化された領域の前記目標符号量の合計と、前記発生符号量の合計との差分に基づき前記第１の量子化パラメータを補正した量子化パラメータを設定することを特徴とする請求項４に記載の撮像装置。
【請求項６】
前記制御手段は、
前記複数のＲＡＷ画像のうち、先頭のＲＡＷ画像については、指定された画質モードに応じた前記第１の量子化パラメータに基づいて量子化パラメータを設定し、
前記先頭のＲＡＷ画像より後のＲＡＷ画像については、前記符号化対象のＲＡＷ画像よりも前に符号化されたＲＡＷ画像における前記複数の領域について設定された量子化パラメータに基づいて量子化パラメータを設定することを特徴とする請求項４または５に記載の撮像装置。
【請求項７】
前記符号化対象のＲＡＷ画像が前記複数のＲＡＷ画像における先頭のＲＡＷ画像である場合、前記目標符号量は前記複数の領域について同一に設定されることを特徴とする請求項３から６のいずれか１項に記載の撮像装置。
【請求項８】
前記符号化データを一時的に保持する保持手段を更に備え、
静止画連写により前記複数のＲＡＷ画像が連続的に生成される場合に、
前記目標符号量は、前記複数の領域の前記目標符号量の合計が、前記保持手段における空き領域の大きさを超えないように設定されることを特徴とする請求項３から７のいずれか１項に記載の撮像装置。
【請求項９】
前記目標符号量は、前記静止画連写において符号化対象のＲＡＷ画像よりも前に符号化された他のＲＡＷ画像における前記複数の領域のそれぞれを符号化した結果の発生符号量に基づいて領域毎に計算され、
計算された前記領域毎の目標符号量の合計が前記空き領域の大きさを超える場合、前記空き領域に基づく符号量を前記計算された領域毎の目標符号量の比率に応じて分配した目標符号量が、前記複数の領域のそれぞれに割り当てられることを特徴とする請求項８に記載の撮像装置。
【請求項１０】
前記符号化データを一時的に保持する保持手段と、
前記保持手段が保持する前記符号化データを復号する復号手段と
を更に備え、
動画の撮影により前記複数のＲＡＷ画像が連続的に生成される場合に、
前記目標符号量は、前記複数の領域の前記目標符号量の合計が、前記記録媒体に記録された前記符号化データが前記保持手段に読み出され、前記復号手段に供給されて、該保持手段から削除される際に想定される前記保持手段の仮想的な保持量を超えない値に設定されることを特徴とする請求項３から７のいずれか１項に記載の撮像装置。
【請求項１１】
前記仮想的な保持量は、前記動画を構成する符号化データの前記記録媒体から前記保持手段への読み出しを実行した継続時間と、前記記録媒体から前記保持手段へのデータ転送速度とに基づく符号化データの仮想的な総転送量から、前記符号化対象のＲＡＷ画像より前に符号化されたＲＡＷ画像の符号化データの総符号量を減算した値として特定されることを特徴とする請求項１０に記載の撮像装置。
【請求項１２】
前記目標符号量は、前記動画の撮影において符号化対象のＲＡＷ画像よりも前に符号化された他のＲＡＷ画像における前記複数の領域を符号化した結果の発生符号量に基づいて領域毎に計算され、
計算された前記領域毎の目標符号量の合計が前記仮想的な保持量を超える場合、前記仮想的な保持量に基づく符号量を前記計算された領域毎の目標符号量の比率に応じて分配した目標符号量が、前記複数の領域のそれぞれに割り当てられることを特徴とする請求項１０または１１に記載の撮像装置。
【請求項１３】
前記量子化手段は、１つのＲＡＷ画像を生成して記録する場合は、１つのＲＡＷ画像内で同一の量子化パラメータを用いて量子化し、複数のＲＡＷ画像を連続的に生成して記録する場合は、それぞれのＲＡＷ画像内で複数の量子化パラメータを用いて量子化することを特徴とする請求項１から７のいずれか１項に記載の撮像装置。
【請求項１４】
複数のＲＡＷ画像を連続的に生成して記録する場合とは、ＲＡＷ動画を撮影して記録する場合であることを特徴とする請求項１または１３に記載の撮像装置。
【請求項１５】
複数のＲＡＷ画像を連続的に生成して記録する場合とは、ＲＡＷ静止画を連写して記録する場合であることを特徴とする請求項１または１３に記載の撮像装置。
【請求項１６】
被写体を撮像してＲＡＷ画像を生成する撮像工程と、
前記ＲＡＷ画像を量子化パラメータを用いて量子化する量子化工程と、
前記量子化されたＲＡＷ画像を符号化して符号化データを生成する符号化工程と、
前記符号化データを記録媒体に記録する記録工程と、
複数のＲＡＷ画像を連続的に生成して記録する場合に、制御手段が、同一のＲＡＷ画像内で量子化パラメータを変更して量子化を行うように制御する制御工程と、
を有することを特徴とする撮像装置の制御方法。
【請求項１７】
コンピュータを請求項１から１５のいずれか１項に記載の撮像装置における量子化手段、符号化手段及び記録手段、及び、制御手段として動作させるためのプログラム。
【手続補正２】
【補正対象書類名】明細書
【補正対象項目名】発明の名称
【補正方法】変更
【補正の内容】
【発明の名称】撮像装置、撮像装置の制御方法、及び、プログラム
【手続補正３】
【補正対象書類名】明細書
【補正対象項目名】０００１
【補正方法】変更
【補正の内容】
【０００１】
本発明は、撮像装置、撮像装置の制御方法、及び、プログラムに関する。
【手続補正４】
【補正対象書類名】明細書
【補正対象項目名】０００９
【補正方法】変更
【補正の内容】
【０００９】
上記課題を解決するための発明は、撮像装置であって、
被写体を撮像してＲＡＷ画像を生成する撮像手段と、
前記ＲＡＷ画像を量子化パラメータを用いて量子化する量子化手段と、
前記量子化されたＲＡＷ画像を符号化して符号化データを生成する符号化手段と、
前記符号化データを記録媒体に記録する記録手段と、
複数のＲＡＷ画像を連続的に生成して記録する場合に同一のＲＡＷ画像内で量子化パラメータを変更して量子化を行うように制御する制御手段と、
を有することを特徴とする。